(57)【要約】【課題】電子帳票の帳票表示データ項目とデータベース装置のデータ格納領域との割り付けを自動的に行うようにした電子帳票システムを得る。【解決手段】電子帳票作成装置１では、電子帳票画面作成手段５を用いて帳票表示データ項目を配置した電子帳票画面を作成し、電子帳票作成装置１にネットワーク４を介して接続されたデータベース装置３では、電子帳票データ入出力手段１０を用いて電子帳票作成装置１によって作成された帳票データを格納する領域である帳票データ格納領域１４を定義し、電子帳票作成装置１の電子帳票データ領域割り付け手段８は、データベース装置３から帳票データ格納領域１４の定義情報を取得し、帳票表示データ項目をキーにして、帳票データ格納領域に自装置の帳票データの割り付け領域を割り付けるようにした。【選択図】図１
2009015700.tif 000002
【特許請求の範囲】
【請求項１】
帳票表示データ項目を配置した電子帳票画面上に上記帳票表示データ項目に対応する帳票データを入力して電子帳票を作成する電子帳票作成装置、この電子帳票作成装置によって作成される上記電子帳票の帳票データを、上記帳票表示データ項目に対応して設けられた帳票データ格納領域に格納する電子帳票データ入出力手段を有するデータベース装置、及び上記電子帳票の帳票データを受信して上記データベース装置に格納するとともに上記格納された上記電子帳票の帳票データを読み出して上記電子帳票作成装置に送信する電子帳票データ連携処理手段を有するアプリケーションサーバ装置を備え、
上記電子帳票作成装置は、上記電子帳票の作成に当たって、上記データベース装置から上記電子帳票の帳票データ格納領域に関する情報を取得し、上記帳票表示データ項目をキーとして、上記取得した上記帳票データ格納領域に自装置の上記電子帳票の帳票データの割り付け領域を割り付ける電子帳票データ領域割り付け手段を有することを特徴とする電子帳票システム。
【請求項２】
上記電子帳票データ領域割り付け手段は、上記自装置の割り付け領域を上記帳票表示データ項目の上下左右のいずれか一つに指定するようにしたことを特徴とする請求項１記載の電子帳票システム。
【請求項３】
上記電子帳票データ領域割り付け手段は、上記自装置の割り付け領域として、連続する領域の最大範囲を指定するようにしたことを特徴とする請求項１または請求項２記載の電子帳票システム。
【請求項４】
上記電子帳票データ領域割り付け手段は、上記自装置の割り付け領域の位置を変更するようにしたことを特徴とする請求項１〜請求項３のいずれかに記載の電子帳票システム。
【請求項５】
上記電子帳票データ領域割り付け手段は、上記帳票表示データ項目が同一名称で複数存在する場合に、上記自装置の割り付け領域の候補を表示して選択させるようにしたことを特徴とする請求項１〜請求項４のいずれかに記載の電子帳票システム。
【請求項６】
電子帳票画面上に配置された帳票表示データ項目に対応するようにデータベース装置に上記帳票データが格納される帳票データ格納領域を作成する第一の手順、上記データベース装置から上記第一の手順によって作成された上記帳票データ格納領域に関する情報を取得する第二の手順、及び上記第二の手順によって取得された上記帳票データ格納領域に上記帳票表示データ項目をキーとして、上記電子帳票の帳票データの割り付け領域を割り付ける第三の手順を含むことを特徴とする電子帳票作成方法。
【発明の詳細な説明】
【技術分野】
【０００１】
この発明は、電子帳票作成装置で作成した電子帳票をデータベース装置に格納する電子帳票システム及び電子帳票作成方法に関するものである。
【背景技術】
【０００２】
近年のコンピュータの普及とネットワークの発達にともない、帳票処理業務においても従来の紙を利用した形態から、情報処理技術を利用した電子化、ペーパーレス化へと進んでいる。
この電子化、ペーパーレス化には、紙で作成した帳票のイメージ全体をスキャナ装置で取り込んで電子ファイルとして管理するものから、帳票フォーマットの作成、各種データ加工、印刷まで一貫したシステムで実現するものまで、様々な形態がある。
【０００３】
【特許文献１】特開平５−１５８９５４号公報（第３〜４頁、図１）
【発明の開示】
【発明が解決しようとする課題】
【０００４】
電子帳票作成装置を用いて電子帳票を作成する際、電子帳票に入力した帳票データをデータベース装置に保存して再利用することが多い。この再利用するためには、データベース装置のリレーショナルデータベースなどのデータベースソフトウェアを用いて、帳票データとデータベース装置のデータ格納領域との割付関係を、電子帳票に定義しておく必要がある。
しかしながら、帳票データとデータベース装置のデータ格納領域との割り付けを行う際、帳票作成者は、帳票データに関する知識だけではなく、データベース装置のデータ格納領域に関する知識も持ち合わせておく必要がある。
また、電子帳票の帳票表示データ項目が多数存在し、マニュアル操作によりデータベース装置のデータ格納領域との割り付けを行う場合には、製作工数が増大するだけではなく、人為的な誤操作も発生しやすくなるという問題がある。
【０００５】
この発明は、上述のような課題を解決するためになされたものであり、電子帳票の帳票表示データ項目とデータベース装置のデータ格納領域との割り付けを自動的に行うようにした電子帳票システム及び電子帳票作成方法を得ることを目的にしている。
【課題を解決するための手段】
【０００６】
この発明に係わる電子帳票システムにおいては、帳票表示データ項目を配置した電子帳票画面上に帳票表示データ項目に対応する帳票データを入力して電子帳票を作成する電子帳票作成装置、この電子帳票作成装置によって作成される電子帳票の帳票データを、帳票表示データ項目に対応して設けられた帳票データ格納領域に格納する電子帳票データ入出力手段を有するデータベース装置、及び電子帳票の帳票データを受信してデータベース装置に格納するとともに格納された電子帳票の帳票データを読み出して電子帳票作成装置に送信する電子帳票データ連携処理手段を有するアプリケーションサーバ装置を備え、
電子帳票作成装置は、電子帳票の作成に当たって、データベース装置から電子帳票の帳票データ格納領域に関する情報を取得し、帳票表示データ項目をキーとして、取得した帳票データ格納領域に自装置の電子帳票の帳票データの割り付け領域を割り付ける電子帳票データ領域割り付け手段を有するものである。
【発明の効果】
【０００７】
この発明は、以上説明したように、帳票表示データ項目を配置した電子帳票画面上に帳票表示データ項目に対応する帳票データを入力して電子帳票を作成する電子帳票作成装置、この電子帳票作成装置によって作成される電子帳票の帳票データを、帳票表示データ項目に対応して設けられた帳票データ格納領域に格納する電子帳票データ入出力手段を有するデータベース装置、及び電子帳票の帳票データを受信してデータベース装置に格納するとともに格納された電子帳票の帳票データを読み出して電子帳票作成装置に送信する電子帳票データ連携処理手段を有するアプリケーションサーバ装置を備え、
電子帳票作成装置は、電子帳票の作成に当たって、データベース装置から電子帳票の帳票データ格納領域に関する情報を取得し、帳票表示データ項目をキーとして、取得した帳票データ格納領域に自装置の電子帳票の帳票データの割り付け領域を割り付ける電子帳票データ領域割り付け手段を有するので、帳票作成者は、データベース装置の帳票データ格納領域に関する知識を持ち合わせておく必要がなくなり、誰でも容易に電子帳票の帳票表示データ項目とデータベース装置の帳票データ格納領域との割り付け作業を行うことができる効果がある。
【発明を実施するための最良の形態】
【０００８】
実施の形態１．
図１は、この発明の実施の形態１による電子帳票システムを示すブロック構成図である。
図１において、電子帳票作成装置１は電子帳票を作成するために用いられる。この電子帳票の帳票データは、データベース装置３に格納される。アプリケーションサーバ装置２は、電子帳票作成装置１とデータベース装置３との間で電子帳票の帳票データを橋渡しする。電子帳票作成装置１とアプリケーションサーバ装置２とデータベース装置３は、ネットワーク４によって接続されている。
電子帳票作成装置１は、電子帳票画面を作成する電子帳票画面作成手段５と、ネットワーク４を介して通信するデータ通信手段６と、データベース装置３の帳票データ格納領域１４に自装置の電子帳票の帳票データ９の割り付け領域を割り付ける電子帳票データ領域割り付け手段８を有する。電子帳票画面作成手段５は、表計算ソフトウェアなどのインターフェイスを利用して電子帳票画面を作成する。データ通信手段６は、電子帳票画面作成手段５とアプリケーションサーバ装置２との間でデータを送受信する。
【０００９】
アプリケーションサーバ装置２は、電子帳票データ連携処理手段７を有し、データベース装置３および電子帳票作成装置１との間で、データの検索、登録などの処理を行う。
データベース装置３は、電子帳票データ入出力手段１０を有し、この電子帳票データ入出力手段１０により、データベース装置３内部に電子帳票の帳票データ格納領域１４を作成し、電子帳票データ連携処理手段７との間でデータの入出力を行う。
ここで、電子帳票の帳票データ９とは、電子帳票画面の帳票表示データ項目欄に入力または表示するデータのことである。
【００１０】
図２は、この発明の実施の形態１による電子帳票システムの電子帳票の帳票表示データ項目を示す図である。
図２において、電子帳票を作成するための画面である電子帳票画面１１、電子帳票の帳票表示データ項目の項目名称１２と、帳票作成者が帳票表示データの割り付け先として確保した、帳票表示データ項目のデータ表示領域１３とが示されている。
【００１１】
図３は、この発明の実施の形態１による電子帳票システムのデータベース装置の帳票データ格納領域に関する定義情報を、電子帳票に取り込んだ際に作成される一覧を示す図である。
図３において、図１の電子帳票作成装置で、データベース装置３の帳票データ格納領域に関する定義情報を、電子帳票に取り込んだ際に作成される一覧を示している。
一覧２１には、帳票データ格納領域として設定したテーブルの名称とテーブル内のフィールドの名称を表示する名称表示区域２２と、帳票データ格納領域のフィールドに設定したコメントを表示するコメント表示区域２３とを含む。
【００１２】
図４は、この発明の実施の形態１による電子帳票システムの電子帳票画面における割り付け先の識別情報として用いる要素を示す図である。
図４において、電子帳票画面３５の列番号３１と、行番号３２と、電子帳票の帳票表示データ項目と帳票データ格納領域の割り付けを行う割り付け領域３３と、電子帳票画面３５のシート名称３４とが示されている。３１と３２と３４によって割り付け先を識別する。
【００１３】
図５は、この発明の実施の形態１による電子帳票システムの電子帳票内に保持している帳票データ格納領域に関する定義情報に、割り付け先の識別情報を追加することを示す図である。
図５において、電子帳票に取り込んだ帳票データ格納領域に関する定義情報４１と、定義情報４１に追加する割り付け先の識別情報である割り付け先情報４２とが示されている。割り付け先情報４２には、図５の場合では、社員番号、名前、入社年月日にそれぞれ対応する割り付け先として、シート名称、列番号、行番号が示される。
すなわち、帳票表示データ項目名称である社員番号、名前、入社年月日をキーとして、帳票データとデータベース装置の帳票データ格納領域とが割り付けられる。
【００１４】
図６は、この発明の実施の形態１による電子帳票システムの電子帳票の作成処理および帳票データ領域との自動割り付け処理の流れを示すフローチャートである。
【００１５】
次に、動作について、図１〜図５を参照し、図６に沿って説明する。
まず、図１の電子帳票作成装置１で、電子帳票画面作成手段５を用いて、帳票作成者は、図２に示す電子帳票画面１１を作成し、電子ファイルとして保存する（フローＳ１０１）。帳票作成者は、データベース装置３で、電子帳票データ入出力手段１０を用いて電子帳票の帳票データを格納する領域である帳票データ格納領域１４を作成する（フローＳ１０２、第一の手順）。
次に、電子帳票作成装置１で、データベース装置３の帳票データ格納領域１４に関する定義情報を取得する（フローＳ１０３、第二の手順）。ここでは、電子帳票データ領域割り付け手段８からデータ通信手段６を動作させ、アプリケーションサーバ装置２の電子帳票データ連携処理手段７に対して問合せを行う。これに応じて、電子帳票データ連携処理手段７が、電子帳票データ入出力手段１０に問合せを行い、電子帳票画面の帳票表示データ項目に対応する帳票データ格納領域の定義情報を取得する。
次に、電子帳票データ連携処理手段７が、データ通信手段６に対して、電子帳票データ入出力手段１０から取得した帳票データ格納領域の定義情報を送信する。最後に電子帳票データ領域割り付け手段８が、データ通信手段６から帳票データ格納領域の定義情報を受信し、フローＳ１０１で作成した電子帳票画面１１の電子ファイル内に、図３に示す帳票データ格納領域に関する定義情報の一覧２１を作成して保存する。ここで帳票データ格納領域に関する定義情報の一覧２１は、フローＳ１０１で作成した電子帳票画面１１とは別のシートに作成するが、電子帳票画面１１と同一の電子ファイル内に保存する。
なお、フローＳ１０１は、別の装置で予め実施しておくようにしてもよい。
【００１６】
次に、電子帳票データ領域割り付け手段８が、電子帳票の表示データ項目と帳票データ格納領域の割り付けを行う。実施の形態１では、この割り付けを標準設定にて行うものとして、自動割り付けを実行する（フローＳ１０９、第三の手順）。
この自動割り付けでは、まず表示データ項目の項目名称１２の中に帳票データ格納領域のフィールドコメントと文字列が一致するものがないか、図４に示す電子帳票画面３５内を検索し照合する。
一致するものがあった場合には、帳票データ格納領域に関して図５に示す帳票データ格納領域に関する定義情報４１に、割り付け先情報４２を追加する。ここで割り付け先情報４２としては、電子帳票画面３５におけるシート名称３４、割り付け先の列番号３１および行番号３２が含まれる。また列番号３１と行番号３２が連続する場合は、開始番号と終了番号をハイフン記号で結ぶことにより連続する領域を表す。
【００１７】
自動割り付けを行った後に、電子帳票画面作成手段５で作成した電子帳票画面１１において、帳票データの読み込みを要求すると、電子帳票データ連携処理手段７がデータベース装置３の電子帳票データ入出力手段１０から該当するデータを検索し、データ通信手段６を通じて検索結果を電子帳票作成装置１に送信する。
次に、電子帳票作成装置１の電子帳票画面において、データ通信手段６から検索結果を取得し、データ格納領域に関する定義情報の一覧２１を参照して、電子帳票画面内の割り付け領域３３に帳票データ格納領域のデータを読込む。
また、電子帳票画面内の割り付け領域３３にてデータの変更を行い、帳票データの登録を要求すると、データ格納領域に関する定義情報の一覧２１を参照して、登録データおよびこの登録データに対応するデータ格納領域に関する定義情報とを組合わせたデータを作成し、データ通信手段６を通じて電子帳票データ連携処理手段７に送信する。
次に、電子帳票データ連携処理手段７が、データ通信手段６から受信したデータを元にして、データベース装置３の電子帳票データ入出力手段１０に対して帳票データ格納領域１４のデータを変更する。
【００１８】
実施の形態１によれば、従来手作業で実施していた、電子帳票画面の表示データ項目とデータベース装置３の帳票データ格納領域との割り付け操作を、自動化することができる。
また、割り付け操作を自動化することにより、電子帳票画面の作成操作を容易化することができ、作成時間を短縮することができる。
【００１９】
実施の形態２．
図７は、この発明の実施の形態２による電子帳票システムの割り付け方向を標準設定から変更する場合の割り付け領域を示す図である。
図７において、縦方向に配置した電子帳票の帳票表示データ項目の項目名称５１と、電子帳票の帳票表示データ項目の項目名称の右方向を指定して割り付ける割り付け領域５２とを示している。
【００２０】
図８は、この発明の実施の形態２による電子帳票システムの割り付け方向を標準設定から変更した場合の割り付け先の一覧を示す図である。
図８において、電子帳票に取り込んだ帳票データ格納領域に関する定義情報６１と、電子帳票の帳票表示データ項目の項目名称の右方向を指定した場合の割り付け先を示す割り付け先情報６２とが示されている。
図９は、この発明の実施の形態２による電子帳票システムの電子帳票の作成処理および帳票データ領域との自動割り付け処理の流れを示すフローチャートである。
【００２１】
次に、動作について、図７、図８を参照し、図９に沿って説明する。
図９では、図６のフローＳ１０３とフローＳ１０９との間に、フローＳ１０４〜Ｓ１０６を設けている。
電子帳票作成装置１にて、電子帳票画面１１を作成する際、帳票表示データ項目１２の配置を自由に設定できる。また帳票データ格納領域のデータを割り付ける領域の配置も同じく自由に設定できる。
そこで、帳票表示データ項目にデータベースの帳票データ格納領域を自動割り付け（フローＳ１０４）する際、標準設定にて割り付けるかどうかを判定し（フローＳ１０４）、標準設定にて割り付けない場合には、割り付け方向の変更を行うかどうかを判断し（フローＳ１０５）、必要に応じて割り付け方向を選択する（フローＳ１０６）。例えば、表示データ項目の項目名称５１が縦方向に並んでいる場合は、割り付け方向を右側に指定して項目名称５１の右側の割り付け領域５２に割り付けを行う。
また、割り付け領域５２の情報は、帳票データ格納領域に関する一覧の割り付け先情報６２に反映する。
【００２２】
実施の形態２によれば、表示データ項目とデータベースの自動割付方法により、電子帳票作成装置の帳票表示データ項目とデータベース装置の帳票データ格納領域との割り付け操作の自動化に加え、帳票データ表示項目のデータ表示位置と項目名表示位置との上下左右の位置関係を指定することができる。
これにより、帳票作成者の帳票画面設計方針に則した割り付けを行うことができる効果がある。
【００２３】
実施の形態３．
図１０は、この発明の実施の形態３による電子帳票システムの割り付け先の連続する領域の最大範囲を指定することを示す図である。
図１０において、電子帳票の帳票表示データ項目と帳票データ格納領域の割り付けの最大範囲の指定７１と、電子帳票の帳票表示データ項目が割り付け方向に複数並んでいる帳票作成画面７２とが示されている。
図１１は、この発明の実施の形態３による電子帳票システムの電子帳票の作成処理および帳票データ領域との自動割り付け処理の流れを示すフローチャートである。
【００２４】
次に、動作について、図１０を参照し、図１１に沿って説明する。
図１１では、図９のフローＳ１０６とフローＳ１０９との間に、フローＳ１０７〜Ｓ１０８を設けている。
実施の形態１および実施の形態２では、表示データ項目とデータベースの自動割り付け（フローＳ１０９）を行う際、割り付け範囲を指定せずに、表示項目名１２の下方向すべての割り付け領域３３または右方向全ての割り付け領域５２に割り付けを行っている。
しかし、表示データ項目が割り付け方向に複数並んでいる帳票作成画面７２の場合は、割り付け領域が重ならないようにする必要がある。
そこで、実施の形態３では、割り付け先の連続する領域の最大範囲を標準設定から変更するかどうかを判断し（フローＳ１０７）、必要に応じて割り付け範囲の最大値を指定する（フローＳ１０８）。ここで割り付け範囲の最大値は、列番号または行番号の連続数を指定する。
【００２５】
実施の形態３によれば、表示データ項目とデータベースの自動割付方法により、電子帳票作成装置の帳票表示データ項目とデータベース装置の帳票データ格納領域との割り付け操作の自動化に加え、帳票データ表示項目のデータ表示位置の連続する領域の最大範囲を指定することができる。
これにより、同一帳票画面上の他の帳票データ表示項目の割り付け範囲との重複を防ぐことができる効果がある。
【００２６】
実施の形態４．
図１２は、この発明の実施の形態４による電子帳票システムの自動割り付けの実行後に、割り付け先の領域を帳票作成画面のマニュアル操作で変更することを示す図である。
図１２において、電子帳票の帳票表示データ項目に帳票データ格納領域を割り付けた領域の変更先８１と、電子帳票の帳票表示データ項目に帳票データ格納領域を割り付けた領域の変更操作８２と、電子帳票の帳票表示データ項目に帳票データ格納領域を割り付けた領域の変更元８３とが示されている。
【００２７】
図１３は、この発明の実施の形態４による電子帳票システムのマニュアル操作による割り付け先の変更を、帳票データ格納領域に関する一覧内の割り付け先の識別情報にも反映することを示す図である。
図１３において、電子帳票に取り込んだ帳票データ格納領域に関する定義情報９１と、電子帳票の帳票表示データ項目と帳票データ格納領域の割り付け結果の割り付け先情報９２と、電子帳票の帳票表示データ項目と帳票データ格納領域の割り付け先情報９２の変更結果９３とが示されている。
図１４は、この発明の実施の形態４による電子帳票システムの電子帳票の作成処理および帳票データ領域との自動割り付け処理の流れを示すフローチャートである。
【００２８】
次に、動作について、図１２、図１３を参照し、図１４に沿って説明する。
図１４では、図１１のフローＳ１０９の次に、フローＳ１１２〜フローＳ１１３を設けたものである。
表示データ項目と帳票データ格納領域との自動割り付けを実行（フローＳ１０９）した後、自動的に割り付けられた結果の割り付け先情報９２を変更するかどうかを判断し（フロー１１３）、必要に応じて割り付け結果である割り付け先情報９２を変更する（フローＳ１１３）。
例えば、表示データ項目を別の領域である変更先８１に変更したい場合などである。ここでは、自動割り付け結果の割り付け先情報（変更元８３）を帳票画面上に枠線表示し、マウスを用いて変更する領域（変更先８１）を選択した後、ドラッグアンドドロップ操作（変更操作８２）にて変更先８１の領域に移動する。
また、割り付け領域の変更内容は、ドラッグアンドドロップ操作が実行されたことを検知したタイミングで、帳票データ格納領域に関する一覧にて、移動前の情報である割り付け先情報９２から移動後の変更結果９３の情報に自動的に変更する。
【００２９】
実施の形態４によれば、表示データ項目とデータベースの自動割付方法により、電子帳票作成装置の帳票表示データ項目とデータベース装置の帳票データ格納領域との割り付け操作の自動化に加え、帳票画面操作によって別の表示位置に割り付けを変更することができる。
これにより、帳票作成者の帳票画面設計に則った割り付け結果の微調整を行うことができる効果がある。
【００３０】
実施の形態５．
図１５は、この発明の実施の形態５による電子帳票システムの帳票画面上に割り付け先の表示データ項目の候補が複数存在する場合に、確認メッセージを表示することを示す図である。
図１５において、電子帳票の帳票表示データ項目の同一の項目名１０１、１０２（図１５では、社員番号）と、電子帳票の帳票表示データ項目の割り付け領域を選択する確認メッセージ１０３と、電子帳票の帳票表示データ項目の割り付け領域の候補１０４と、電子帳票の帳票表示データ項目の確認メッセージに表示するＯＫボタン１０５とが示されている。
図１６は、この発明の実施の形態５による電子帳票システムの電子帳票の作成処理および帳票データ領域との自動割り付け処理の流れを示すフローチャートである。
【００３１】
次に、動作について、図１５を参照し、図１６に沿って説明する。
図１６では、図１４のフローＳ１０９とフローＳ１１２の間に、フローＳ１１０〜Ｓ１１１を設けたものである。
電子帳票１１を作成する際、同一名称の表示データ項目が複数存在する場合（図１５の１０１、１０２で示される社員番号）がある。この場合に自動割り付けを行うと、同一名称のどちらの表示データ項目に割り付ければよいか判断できない。
実施の形態５は、そこで、自動割り付け実行時に割り付け先のシート内に同一名称の項目が存在するかどうかを、シート内を検索して自動的に判定し（フローＳ１１０）、存在する場合には、確認メッセージ１０３を表示して帳票作成者の領域選択を促す（フローＳ１１１）。確認メッセージ１０３には、割り付け先の候補１０４を表示し、帳票作成者は、選択する方のチェックボックスにチェックした後、ＯＫボタン１０５を押して選択を確定する。選択した割り付け領域の情報は、帳票データ格納領域に関する一覧に反映される。
【００３２】
実施の形態５によれば、表示データ項目とデータベースの自動割付方法により、電子帳票作成装置の帳票表示データ項目とデータベース装置の帳票データ格納領域との割り付け操作の自動化に加え、帳票データ表示項目が同一名称かつ複数存在する場合に、データベース装置の割り付け候補を複数表示して、それから選択することができる。
これにより、帳票作成者が意図しない帳票データ表示項目への割り付けを防ぐことができる効果がある。
【００３３】
なお、上記説明では、図１において、アプリケーションサーバ装置２とデータベース装置３を別の装置としているが、両者を同一の装置で構成することもできる。
また、電子帳票作成装置１とアプリケーションサーバ装置２を同じ装置としてもよい。
さらに、電子帳票作成装置１とアプリケーションサーバ装置２とデータベース装置３とを一台の装置としてもよい。
【００３４】
また、その他に、図１において、電子帳票作成装置１にて電子帳票に帳票データ格納領域の定義情報を取り込んで（フローＳ１０３）、電子帳票内に帳票データ格納領域に関する一覧を作成した後は、電子帳票作成装置１をネットワーク４に接続しない状態で、表示データ項目とデータベース装置の自動割り付け（フローＳ１０９からフローの終端まで）を行うことができる。
【図面の簡単な説明】
【００３５】
【図１】この発明の実施の形態１による電子帳票システムを示すブロック構成図である。
【図２】この発明の実施の形態１による電子帳票システムの電子帳票の帳票表示データ項目を示す図である。
【図３】この発明の実施の形態１による電子帳票システムのデータベース装置の帳票データ格納領域に関する定義情報を、電子帳票に取り込んだ際に作成される一覧を示す図である。
【図４】この発明の実施の形態１による電子帳票システムの電子帳票画面における割り付け先の識別情報として用いる要素を示す図である。
【図５】この発明の実施の形態１による電子帳票システムの電子帳票内に保持している帳票データ格納領域に関する定義情報に、割り付け先の識別情報を追加することを示す図である。
【図６】この発明の実施の形態１による電子帳票システムの電子帳票の作成処理および帳票データ領域との自動割り付け処理の流れを示すフローチャートである。
【図７】この発明の実施の形態２による電子帳票システムの割り付け方向を標準設定から変更する場合の割り付け領域を示す図である。
【図８】この発明の実施の形態２による電子帳票システムの割り付け方向を標準設定から変更した場合の割り付け先の一覧を示す図である。
【図９】この発明の実施の形態２による電子帳票システムの電子帳票の作成処理および帳票データ領域との自動割り付け処理の流れを示すフローチャートである。
【図１０】この発明の実施の形態３による電子帳票システムの割り付け先の連続する領域の最大範囲を指定することを示す図である。
【図１１】この発明の実施の形態３による電子帳票システムの電子帳票の作成処理および帳票データ領域との自動割り付け処理の流れを示すフローチャートである。
【図１２】この発明の実施の形態４による電子帳票システムの自動割り付けの実行後に、割り付け先の領域を帳票作成画面のマニュアル操作で変更することを示す図である。
【図１３】この発明の実施の形態４による電子帳票システムのマニュアル操作による割り付け先の変更を、帳票データ格納領域に関する一覧内の割り付け先の識別情報にも反映することを示す図である。
【図１４】この発明の実施の形態４による電子帳票システムの電子帳票の作成処理および帳票データ領域との自動割り付け処理の流れを示すフローチャートである。
【図１５】この発明の実施の形態５による電子帳票システムの帳票画面上に割り付け先の表示データ項目の候補が複数存在する場合に、確認メッセージを表示することを示す図である。
【図１６】この発明の実施の形態５による電子帳票システムの電子帳票の作成処理および帳票データ領域との自動割り付け処理の流れを示すフローチャートである。
【符号の説明】
【００３６】
１  電子帳票作成装置
２  アプリケーションサーバ装置
３  データベース装置
４  ネットワーク
５  電子帳票画面作成手段
６  データ通信手段
７  電子帳票データ連携処理手段
８  電子帳票データ領域割り付け手段
１０  電子帳票データ入出力手段
１１  電子帳票画面
１２  帳票表示データ項目の項目名称
１３  帳票表示データ項目のデータ表示領域
１４  帳票データ格納領域
２１  帳票データ格納領域に関する定義情報の一覧
２２  帳票データ格納領域の名称表示区域
２３  帳票データ格納領域のコメント表示区域
３１  電子帳票画面の列番号
３２  電子帳票画面の行番号
３３  帳票表示データ項目と帳票データ格納領域の割り付けを行う割り付け領域
３４  電子帳票画面のシート名称
３５  電子帳票画面
４１  帳票データ格納領域に関する定義情報
４２  割り付け先情報
５１  帳票表示データ項目の項目名称
５２  割り付け領域
６１  帳票データ格納領域に関する定義情報
６２  割り付け先情報
７１  割り付けの最大範囲の指定
７２  複数並んでいる電子帳票画面
８１  割り付けた領域の変更先
８２  割り付けた領域の変更操作
８３  割り付けた領域の変更元
９１  帳票データ格納領域に関する定義情報
９２  割り付け先情報
９３  割り付け先情報の変更結果
１０１  帳票表示データ項目の同一の項目名
１０２  帳票表示データ項目の同一の項目名
１０３  確認メッセージ
１０４  割り付け領域の候補
１０５  ＯＫボタン
【図１】
2009015700.tif 000003
【図２】
2009015700.tif 000004
【図３】
2009015700.tif 000005
【図４】
2009015700.tif 000006
【図５】
2009015700.tif 000007
【図６】
2009015700.tif 000008
【図７】
2009015700.tif 000009
【図８】
2009015700.tif 000010
【図９】
2009015700.tif 000011
【図１０】
2009015700.tif 000012
【図１１】
2009015700.tif 000013
【図１２】
2009015700.tif 000014
【図１３】
2009015700.tif 000015
【図１４】
2009015700.tif 000016
【図１５】
2009015700.tif 000017
【図１６】
2009015700.tif 000018